(57)【要約】【課題】防水層を上下方向に貫通する貫通部材の防水構造であって、防水層の更新を行う際に作業性を損なうことなく、且つ更新後にも安定した防水性能を発揮させる。【解決手段】床２を上下方向に貫通する貫通部材１に、防水部材３の嵌装部３ａを嵌装させ、該嵌装部３ａの上部を固定金具４、５によって覆うと共に貫通部材１に固定し、更に、防水テープ６によって貫通部材１と嵌装部３ａ上部との間又は貫通部材１と固定金具４、５の上部との間に形成された隙間を閉鎖して止水する。【選択図】       図１
2006348643.tif 000002
【特許請求の範囲】
【請求項１】
被貫通部材を上下方向に貫通する貫通部材の防水構造であって、被貫通部材を貫通する貫通部材と、貫通部材の外周に嵌装される合成樹脂製の嵌装部を有する防水部材と、前記貫通部材に固定されると共に前記防水部材の嵌装部上部を覆う固定金具と、貫通部材と固定金具上部との間及び、又は貫通部材と嵌装部上部との間に形成された隙間を止水する止水部材と、を有することを特徴とする貫通部材の防水構造。
【請求項２】
前記防水部材が、嵌装部の下部外縁に水密的に接続された鍔部を有するものであることを特徴とする請求項１に記載した貫通部材の防水構造。
【請求項３】
前記貫通部材が、断面形状が角部を有する柱脚であることを特徴とする請求項１又は２に記載した貫通部材の防水構造。
【請求項４】
前記止水部材が、貫通部材と防水部材の嵌装部にわたって且つ該嵌装部との間に絶縁部材を介在させて配置されていることを特徴とする請求項１乃至３の何れかに記載した貫通部材の防水構造。
【発明の詳細な説明】
【技術分野】
【０００１】
本発明は、建物の屋上やベランダ、或いはプールのように防水性を要求される床を上下方向に貫通する貫通部材の防水構造に関するものである。
【背景技術】
【０００２】
建物の屋上やベランダ或いはプールや風呂の床面は充分な防水性を有することが必要である。これらの部位に手摺或いは物干しや日除け等を構成することがあるが、この場合、床を上下方向に貫通する貫通部材を躯体に固定し、この貫通部材と床面との防水性を確保するのが一般的である。
【０００３】
上記の如き防水性が要求される床面を貫通する貫通部材と該床面との接続部分の防水性を確保する技術として、屋上やベランダの床を貫通する貫通部材（柱脚）の外周表面に予め樹脂コーティングを施しておき、この貫通部材の外周に樹脂製の嵌装部を有する防水部材を嵌装して嵌装部と樹脂コーティング部とを水密的に溶着又は接着した防水構造が提案されている（例えば特許文献１参照）。
【０００４】
上記特許文献１の技術では、貫通部材の樹脂コーティング部と防水部材の嵌装部とを溶着又は接着し、且つ防水部材の鍔部を床面に施工した防水シートに接着することにより、防水部材と防水シートを一体化して高い防水性能を発揮することができる。また貫通部材の断面形状と防水部材の嵌装部の形状が同じであれば良いため、手摺の柱や物干しの柱等の意匠の選択の自由度が向上し、建物の雰囲気に対応した好ましい形状を選択して用いることができる。
【０００５】
【特許文献１】特開２００４−０７６３８１号公報
【発明の開示】
【発明が解決しようとする課題】
【０００６】
最近の６０年に及ぶ超寿命化が実現された建物では、屋上やベランダの床面に施工された防水層を適当な年数を経た段階で更新することが行われ、この防水層の更新と同時に貫通部材の防水構造も更新されるのが一般的である。防水層を更新する作業は既設の防水層の上層に新たな防水層を施工することによって行われる。
【０００７】
特に、特許文献１の技術のように防水部材の嵌装部を合成樹脂によって形成した場合、この嵌装部が紫外線の影響で収縮したり経時的に劣化する虞があるため、防水部材の嵌装部も含めて更新される。しかし、貫通部材の樹脂コーティング部と防水部材の嵌装部とを溶着又は接着することによって防水と固定とを行うようにしているため、貫通部材の樹脂コーティング部と防水部材の嵌装部との溶着部位又は接着部位を綺麗に剥がすことが困難になる虞があり、貫通部材と防水部材の溶着部位又は接着部位を綺麗に剥がせたとしても、貫通部材には樹脂コーティング部が剥がされているため溶着や接着を行うことができなくなる虞がある。
【０００８】
このため、高い防水性能を発揮することが可能で、且つ防水層を更新する際の作業が容易で更に防水層を更新したとしても防水性能が劣化することのない防水構造を開発することが求められている。
【０００９】
本発明の目的は、防水層の更新を行う際に作業性を損なうことなく、且つ更新後にも安定した防水性能を発揮することができる貫通部材の防水構造を提供することにある。
【課題を解決するための手段】
【００１０】
上記課題を解決するために本発明に係る貫通部材の防水構造は、被貫通部材を上下方向に貫通する貫通部材の防水構造であって、被貫通部材を貫通する貫通部材と、貫通部材の外周に嵌装される合成樹脂製の嵌装部を有する防水部材と、前記貫通部材に固定されると共に前記防水部材の嵌装部上部を覆う固定金具と、貫通部材と固定金具上部との間及び、又は貫通部材と嵌装部上部との間に形成された隙間を止水する止水部材とを有して構成したものである。
【００１１】
上記貫通部材の防水構造に於いて、防水部材が、嵌装部の下部外縁に水密的に接続された鍔部を有するものであることが好ましい。
【００１２】
また上記何れかの貫通部材の防水構造に於いて、貫通部材が、断面形状が角部を有する柱脚であることが好ましい。
【００１３】
更に、上記何れかの貫通部材の防水構造に於いて、止水部材が、貫通部材と防水部材の嵌装部にわたって且つ該嵌装部との間に絶縁部材を介在させて配置されていることが好ましい。
【発明の効果】
【００１４】
上記第１の防水構造では、被貫通部材を上下方向に貫通した貫通部材に防水部材の嵌装部を嵌装させると共に防水部材の嵌装部上部を固定金具によって覆って固定することで、防水部材を貫通部材に固定することができる。そして、貫通部材と固定金具上部との間及び貫通部材と嵌装部上部との間に形成された隙間、又は貫通部材と嵌装部上部との間、或いは貫通ぶ部材と固定金具上部との間に形成された隙間を止水部材によって止水することで、良好な防水性能を発揮することができ、貫通部材と被貫通部材との隙間に浸水することがない。
【００１５】
上記の如く、貫通部材と防水部材の嵌装部とが溶着或いは接着によることなく、固定金具によって固定され、更に止水部材によって防水性を与えられているため、止水部材と固定金具を撤去することで貫通部材と防水部材とを分離することができる。このため、経時的に行う必要がある防水層の更新を行う際に、合成樹脂製の嵌装部が劣化しているような場合でも、この部分を切除して新たな防水部材を嵌装することで円滑な作業を行うことができる。
【００１６】
また防水部材が、嵌装部の下部外縁に水密的に接続された鍔部を有することによって、該鍔部を屋上やベランダに施工した防水層に溶着或いは接着することで、防水部材と防水層の一体化をはかり良好な防水性能を発揮することができる。
【００１７】
また貫通部材が、断面形状が角部を有する柱脚である場合、屋上やベランダに設置する手摺や物干しの支柱の断面を角部を有する形状、即ち、多角形状のものとすることが可能となり、意匠的に好ましい。
【００１８】
また止水部材が、貫通部材と防水部材の嵌装部にわたって且つ該嵌装部との間に絶縁部材を介在させて配置されている場合、或いは固定金具の防水部材と対向する部位の形状を適宜設定することによって固定金具の上部に配置した止水部材と防水部材の間に隙間を設けた場合、防水部材の可塑剤が止水部材に移行することを防止して寿命を保持することができる。
【発明を実施するための最良の形態】
【００１９】
以下、本発明に係る防水構造の最良の形態について説明する。本発明の貫通部材の防水構造は、鉄骨躯体や基礎構造に固定した貫通部材を被貫通部材となる床或いはパラペットを貫通させて配置したとき、貫通部材と床との間に防水性を発揮させる構造であり、床面の防水層を更新する際の作業も簡単に行えるようにしたものである。
【００２０】
このため、本発明では、貫通部材に合成樹脂製の嵌装部を有する防水部材を嵌装し、この嵌装部の上部に固定金具を配置して貫通部材に固定することによって嵌装部を貫通部材に固定し、更に、止水部材によって貫通部材と固定金具上部及び貫通部材と嵌装部上部との間に形成された隙間、又は貫通部材と嵌装部上部との間に形成された隙間を止水することで防水性を発揮させている。
【００２１】
このように本発明では、溶着や接着によることなく、嵌装部の貫通部材に対する固定構造と貫通部材と嵌装部との間の止水構造を異なる構造とすることによって、高い防水性能を実現すると共に、経時的に行う必要のある防水層の更新時には貫通部材と防水部材との離脱及び新たな防水部材の装着を容易とし、確実で且つ円滑な更新作業を実現し更に更新後の防水性能を確保することが可能である。
【００２２】
本発明に於いて、被貫通部材は防水性が要求され且つ貫通部材が上下方向に貫通して配置されるものであり、構造や部位を限定するものではない。このような被貫通部材としては、例えば建物の屋上やベランダの床、パラペット或いはプールや風呂の床等があり、本発明は何れの場合も好ましく対応することが可能である。
【００２３】
貫通部材は被貫通部材を上下方向に貫通して配置されるものであり、この貫通部材が如何なる部位に如何なる構造で固定されるかは限定するものではない。例えば、被貫通部材が建物の屋上やベランダの床であるような場合、貫通部材は建物の躯体に固定される。また被貫通部材がプールや風呂の床であるような場合、貫通部材はプールや風呂の躯体（例えば鉄骨躯体や基礎構造）に固定される。
【００２４】
貫通部材としては寸法や形状を限定するものではなく、例えば、建物の屋上やベランダ、パラペットに設置される手摺や物干し或いは日除け等を含む構造体の柱であって良い。しかし、これらの構造体の柱を直接躯体に固定して被貫通部材を貫通させた構造では、防水層の構成や更新を行う際の作業が困難であるため、貫通部材は設置すべき構造体の柱等を取り付けるための部材（柱脚）として構成されていることが好ましい。
【００２５】
即ち、貫通部材としては、被貫通部材を貫通して突出し、該突出部分に防水部材の嵌装部を嵌装させ且つ目的の構造体を取り付けることが可能な寸法を有していることが好ましく、取り付けるべき構造体に対応したボルト穴やネジ穴が形成されていることが好ましい。貫通部材をこのような構成とすることによって、被貫通部材を構成すると共に防水性を発揮させる工程と、被貫通部材から突出している貫通部材に構造体を取り付ける工程を互いに独立させた工程として進行させることが可能となる。
【００２６】
更に、貫通部材の寸法や形状は取り付けるべき構造体の寸法や形状に対応させて適宜設定することが好ましい。例えば構造体が屋上やベランダの手摺であり該手摺を構成する部材が角バーであるような場合、貫通部材も、断面形状が角部を有するものであることが好ましい。このように、貫通部材の断面形状と、該貫通部材に取り付ける構造体の断面形状が略同じであることによって意匠的な面から好ましい。
【００２７】
防水部材は貫通部材に嵌装されて該貫通部材との間の防水性を実現するものであり、合成樹脂製の嵌装部を有して構成される。合成樹脂製の嵌装部は、貫通部材の断面形状と相似形で該貫通部材を嵌装することが可能な寸法を有する筒状の部材として構成されている。この嵌装部は合成樹脂製であれば良く、材料を限定するものではない。即ち、嵌装部が高い剛性を持った筒状の部材として構成されるか、比較的柔軟な材料からなる筒状の部材として構成されるかを問うものではない。
【００２８】
上記の如く、貫通部材の断面形状が四角形であるような場合、意匠上の観点から貫通部材に嵌装される防水部材の嵌装部も四角形であることが好ましい。貫通部材をフラットバーによって構成した場合、四角形の各角部は殆どコーナーアールのない角として構成されるのが一般的であるため、止水性を考慮すると嵌装部の角部も貫通部材の角部と同じ角とすることが好ましい。
【００２９】
しかし、防水部材の嵌装部と貫通部材が密着しているような場合、長期間の使用に伴って角部にストレスが集中してヒビ割れ等が発生することがあり、結果的に止水性能を阻害してしまう虞がある。このような問題を解消するためには、嵌装部の角部に過度のストレスが集中することがないように、充分なコーナーアールを設けることが好ましい。このため、嵌装部に於ける四角形断面の長辺の寸法を貫通部材の長辺の寸法よりも大きくすることによって、該貫通部材の断面に於ける側面側に隙間を形成しておくことが好ましい。
【００３０】
この防水部材は、嵌装部を貫通部材に貫通して防水性を確保すると共に被貫通部材の床面にも防水性を確保して接続される。このため、防水部材は嵌装部の外縁に鍔部を水密的に接続した構造であることが好ましい。防水部材をこのように構成することによって、貫通部材との間の防水性を実現すると共に床面の防水層との間の防水性を確保することが容易である。
【００３１】
固定金具は貫通部材に嵌装された嵌装部の上部と貫通部材との間に形成された隙間を覆うと共に嵌装部を貫通部材に固定する機能を有し、この機能を発揮し得るものであれば利用することが可能である。固定金具によって嵌装部を貫通部材に固定する場合、必ずしも強固に固定する必要はなく、嵌装部と貫通部材との間に形成された隙間を覆うことが可能で且つ嵌装部の動きを拘束し得る程度であれば良い。
【００３２】
固定金具は、嵌装部の上部を覆うと共に貫通部材に固定し得る形状であれば良く、特に限定するものではない。また固定金具は必ずしも一ピースとして形成されたものである必要はなく、二ピース或いはそれ以上のピースによって形成されていても良い。このように固定金具を複数のピースで形成することによって、単純な形状（例えばクランク型）で目的を達成することが可能であり、コスト的な面からも好ましい。更に、固定金具を二ピースにしてバネ性を持たせるように構成することで、該固定金具を貫通部材に固定すると同時に、嵌装部を貫通部材に押圧して防水部材を貫通部材に固定することが可能となり好ましい。
【００３３】
固定金具を貫通部材に固定する場合、皿ビスのように突起部分のないものを用いることが好ましい。このように、突起部分を作らないことによって、貫通部材の被貫通部材から突出している部分の形状を単純で且つ美麗なものとすることが可能となる。
【００３４】
止水部材は、貫通部材と固定金具上部との間、貫通部材と防水部材の嵌装部との間に形成された隙間を止水するものであり、この機能を発揮し得るものであれば用いることが可能である。このようなものとして、ゴム製のキャップがあり、このキャップを用いることが可能である。しかし、ゴムは経時的に劣化する虞があるため、粘着性を有し経時変化が少なく且つ止水性能を持った防水テープを用いることが好ましい。このような防水テープを用いることで、貫通部材と固定金具及び嵌装部とが如何なる位置関係にあり、且つこれらの間に如何なる隙間を生じていても、これらの隙間を確実に止水することが可能である。
【００３５】
止水部材として粘着性を持った防水テープを用いた場合、該防水テープが直接合成樹脂製の防水部材に接触すると、可塑剤が移行して劣化が進行するため、両者が直接接触することがないように構成することが必要である。防水部材と防水テープを絶縁する場合、両者の間に可塑剤の移行を阻止することが可能なアルミテープを配置しておくことが好ましい。
【００３６】
また、固定金具の上部に止水部材を配置する場合、固定金具の防水部材と対向する部位の形状を適宜設定することによって、該固定金具を貫通部材に固定したとき防水部材と止水部材との間に確実に隙間を設けるようにすることが好ましい。この場合でも、防水部材の可塑剤が防水テープに移行することを阻止することが可能となる。
【実施例１】
【００３７】
次に本発明の実施例について図を用いて説明する。図１は第１実施例に係る貫通部材の防水構造を説明する断面図である。図２は防水部材の構成を説明する図である。図３は第１実施例に係る防水構造を構成する際の手順を説明する図である。
【００３８】
図１に於いて、貫通部材１は下端部分が図示しない建物の躯体に固定されており、被貫通部材となる床２を貫通して起立している。貫通部材１の床２から起立している部分の長さは、取り付けるべき構造体の接地部分の構造や寸法に対応して設定されている。即ち、貫通部材１に取り付けるべき構造体が、例えば手摺や物干し或いは日除け、物置等である場合、貫通部材１はこれらの構造体に於ける接地部分の構造や寸法に対応した寸法や形状を持って形成される。
【００３９】
貫通部材１は躯体に固定される固定部１ａを有して構成されており、断面形状は長方形として設定されている。このような貫通部材１には平坦面を持った接地部分を有する構造体を取り付けることが可能であり、このような構造体としては、屋上に於ける予め設定された範囲に、或いは屋上の外周に設けたパラペットやベランダに設置する手摺がある。
【００４０】
尚、図示してはないが、貫通部材１には目的の構造体の取付構造（例えばボルトによる取付構造や差し込みによる取付構造）に対応させたボルト穴や差し込み部等が構成されている。
【００４１】
床２の上面には防水シート２ａによって防水層が施工されている。この防水シート２ａの貫通部材１の配置位置に対応する部位には、該貫通部材１の断面寸法よりも大きい穴が形成されており、この穴によって貫通部材１を回避し得るように構成されている。このため、貫通部材１と防水シート２ａとの間には比較的に大きい隙間が形成されて防水性能を損なっている。
【００４２】
床２の上部に起立した貫通部材１に防水部材３が嵌装されている。この防水部材３は、図２に示すように、貫通部材１に嵌装される嵌装部３ａと、嵌装部３ａの下部外縁に水密的に接続された鍔部３ｂと、を有して構成されている。
【００４３】
嵌装部３ａは合成樹脂によって形成されており、内形が貫通部材１の断面形状と相似形で、且つ縦横の寸法が貫通部材１の断面に於ける縦横の寸法よりも大きい筒状に形成されており、該貫通部材１に嵌装されたときに僅かな隙間が形成される。
【００４４】
防水部材３の嵌装部３ａと鍔部３ｂを同じ材料によって形成する必要はなく、貫通部材１に嵌装する際の作業性を考慮して、例えば嵌装部３ａを剛性を持った塩化ビニル等の合成樹脂で、鍔部３ｂを柔軟性を持ったポリエチレンやゴム等の材料で形成することが可能である。特に、鍔部３ｂは床２に施工された防水シート２ａに対し溶着或いは接着によって固着されて防水性を発揮する。このため、鍔部３ｂは溶着性能の良好な材料、或いは接着性能の良好な材料を用いて形成されることが好ましい。
【００４５】
上記の如き防水部材３は、嵌装部３ａと鍔部３ｂを、例えばインサート成形を含む射出成形等の成形法を採用して一体成形することで水密的に接続して構成することが可能であり、また両者を溶着や接着によって水密的に接続して構成することが可能である。
【００４６】
貫通部材１に嵌装された防水部材３の嵌装部３ａの上方に二ピースからなる固定金具４、５が配置されて貫通部材１に固定され、この固定に伴って嵌装部３ａを貫通部材１に挟み込んで押圧した状態で固定している。固定金具４、５は図３（ｂ）に示すように、貫通部材１に固定される固定片４ａ、５ａと、貫通部材１と防水部材３の嵌装部３ａとの間の隙間を覆う覆い片４ｂ、５ｂと、を有して構成されている。また、固定金具４の固定片４ａには固定金具４を貫通部材１に固定するためのビス穴４ｃが形成され、固定金具５の固定片５ａにはビスを螺合するネジ穴５ｃが形成されている。更に、固定金具４、５の覆い片４ｂ、５ｂの両端部には該覆い片４ｂ、５ｂに対しアール部分を介して直角方向に突起した突起片４ｄ、５ｄが形成されている。また貫通部材１にはビス穴４ｃと対応してネジ穴１ｃが形成されている。
【００４７】
本実施例では、固定金具４、５は貫通部材１の幅方向（貫通部材１の断面に於ける長手方向）に夫々対向して配置し得る寸法を持つピース状に形成されている。また、固定金具４、５は、適度なバネ性を持った鋼板をクランク状に折り曲げて構成されており、固定片４ａ、５ａの幅寸法が貫通部材１の幅寸法と略等しい値を有しており、覆い片４ｂ、５ｂと二つの突起片４ｄ、５ｄとを加えた幅寸法が防水部材３の嵌装部３ａの幅寸法（嵌装部３ａの断面に於ける長手方向の寸法）よりも充分に大きく且つ突起片４ｄ、５ｄの突起長さが嵌装部３ａの厚さ方向（嵌装部３ａの断面に於ける短手方向の寸法）の寸法の半分よりも僅かに小さい寸法を有している。更に、突起片４ｄ、５ｄの上端部は僅かな傾斜をつけて貫通部材１に嵌装された嵌装部３ａの上部を覆うことが可能なように構成しておくことが好ましい。
【００４８】
上記の如く、構成された固定金具４、５では、貫通部材１に固定されたとき、二つの突起片４ｄ、５ｄが嵌装部３ａの厚さ方向の面と対向して隙間を形成するため、固定金具４、５の上部に配置された止水部材６が防水部材３と接触することがなく、可塑剤の移行を阻止することが可能となる。
【００４９】
貫通部材１に対向して配置された二つのピースからなる固定金具４、５を突起部分を形成することなく固定するために、一方の固定金具４の固定片４ａにビスを挿通するビス穴４ｃを形成し、他方の固定金具５の固定片５ａにビスを螺合するネジ穴５ｃを形成し、貫通部材１にビスを挿通するビス穴１ｃを形成し、貫通部材１に固定金具４、５を対向して配置すると共に固定金具４のビス穴４ｃ、貫通部材１のビス穴１ｃにビスを挿通して固定金具５のネジ穴５ｃに締結するように構成することが好ましい。このような構成とすることで、ビスやナットが突出することがない。尚、５ｂは嵌装部３ａの上部を覆う覆い片であり、固定金具４、５の覆い片４ｂ、５ｂの有するバネ性によって、嵌装部３ａを貫通部材１に対し押圧した状態で固定している。
【００５０】
固定金具４、５によって貫通部材１に固定されると共に隙間を覆われた嵌装部３ａの上部は、更に止水部材６によって止水されており、この止水部材６によって止水することで、貫通部材１の厚さに対応する面と嵌装部３ａとの間に形成された隙間が止水されている。
【００５１】
止水部材６は、粘着性と可撓性を有し且つ防水性を発揮し得る防水テープによって構成されており、この防水テープ６を固定金具４、５の固定片４ａ、５ａの上部、及び嵌装部１ａの上部を覆うように巻き付けて貫通部材１に接着させることによって、夫々の部位に形成された隙間を覆うことで防水性が発揮されている。尚、止水部材６（防水テープ６）は、防水部材３に対し直接接触することがないように構成されている。
【００５２】
次に、図３により本実施例に係る防水構造を構成する手順について説明する。
【００５３】
先ず同図（ａ）に示すように、床２を貫通部材１が貫通して防水シート２ａの上部に起立している。防水シート２ａには貫通部材１を回避するために形成された穴２ｂが形成されており、この穴２ｂによって防水性が損なわれている。
【００５４】
同部（ｂ）に示すように、起立している貫通部材１の上部から防水部材３が嵌装され、鍔部３ｂが防水シート２ａに溶着又は接着され、これにより、防水シート２ａに形成されたいた穴２ｂが覆われる。
【００５５】
貫通部材１に固定金具４、５が対向して配置され、固定金具４のビス穴４ｃ、貫通部材１に形成されたビス穴１ｃにビス７を挿通して固定金具５のネジ穴５ｃに締結することで固定される。このとき、同図（ｃ）に示すように、固定金具４、５の覆い片４ｂ、５ｂによって嵌装部３ａの上部が覆われ、突起片４ｄ、５ｄが嵌装部３ａの厚さ方向の面に対向して該面との間に隙間を形成する。そして固定金具４、５の貫通部材１に対する固定に伴って、嵌装部３ａと貫通部材１との間に形成された隙間が覆われて防水性を発揮する。
【００５６】
また、貫通部材１に固定金具４、５を固定することによって、防水部材３の嵌装部３ａの厚さ方向の面と突起片４ｄ、５ｄとの間に隙間が形成される。このため、嵌装部３ａの幅方向の面には固定金具４、５の覆い片４ａ、５ａによる押圧力が作用するものの、防水部材の角部及び厚さ方向の面には力が作用することがなく、この結果、角部に過度のストレスが生じることがない。
【００５７】
更に、貫通部材１に固定された固定金具４、５の上部及び貫通部材１に嵌装された防水部材３の嵌装部３ａの上部に防水テープ６が配置され、同図（ｄ）に示すように、貫通部材１、固定金具４、５、嵌装部３ａの周囲に巻き付けられると共に接着することで、貫通部材１と固定金具４、５上部との間に形成された隙間、貫通部材１と嵌装部３ａ上部との間に形成された隙間を閉鎖することで止水し、良好な防水性を発揮することが可能である。このとき、嵌装部３ａの厚さ方向の面に対向して固定金具４、５の突起片４ａ、５ａが配置されるため、防水テープ６はこれらの突起片４ｄ、５ｄによって嵌装部３ａに対する接触が阻止され、これにより、防水テープ６に可塑剤が移行することがない。
【００５８】
上記の如き本実施例の防止構造では、床２の防水層を更新する場合、防水テープ６を剥がすことで固定金具４、５及び嵌装部３ａを露出させ、その後、ビス７を緩めて固定金具４、５の貫通部材１に対する固定及び覆い片４ｂ、５ｂによる嵌装部３ａの貫通部材１に対する固定を解除することが可能である。この状態で、防水部材３の鍔部３ｂを防水シート２ａから剥離させるか、嵌装部３ａを鍔部３ｂから切除することによって、貫通部材１を露出させることが可能である。
【００５９】
そして、新たな防水シート２ａを施工する場合には、既設の防水シート２ａに溶着或いは接着されている鍔部３ｂの上部に新たな防水シート２ａを接着することによって、防水層を更新することが可能である。
【００６０】
上記の如く、本実施例では、貫通部材に嵌装した防水部材の嵌装部と貫通部材との上部を固定金具の覆い片で覆い、且つ貫通部材と固定金具の上部に該貫通部材から嵌装部にわたって止水部材である防水テープを配置することによって、貫通部材と固定金具上部との間に形成された隙間及び貫通部材と嵌装部上部との間に形成された隙間を止水することが可能である。
【００６１】
また本実施例では、固定金具４、５を、覆い片４ｂ、５ｂの幅方向の両端に突起片４ｄ、５ｄを接続してコ字状に形成しているが、この形状に限定するものではなく、突起片４ｄ、５ｄの一方の端部に嵌装部３ａの厚さ方向の面の寸法よりも僅かに小さい寸法を持った屈折片を連続させてＬ字状に形成しても良い。このような固定金具を利用する場合でも、該固定金具を貫通部材１に固定することによって、嵌装部３ａの厚さ方向の面に屈折片を対向させて隙間を構成することが可能である。そして貫通部材１から固定金具に防水テープ６を配置したとき、該防水テープ６と嵌装部３ａとの間に隙間を確保して可塑剤の移行を阻止することが可能である。
【実施例２】
【００６２】
次に第２実施例に係る防水構造について図４により説明する。尚、図に於いて前述の実施例と同一の部分及び同一の機能を有する部分には同一の符号を付して説明を省略する。
【００６３】
本実施例は、貫通部材１と防水部材３の嵌装部３ａ上部との間に形成された隙間を、先ず防水テープ６によって閉鎖して止水した後、該防水テープ６の上から固定金具４、５によって固定して構成されている。
【００６４】
本実施例では、図４（ａ）に示すように、床２を貫通して防水シート２ａの上部に起立している貫通部材１に防水部材３の嵌装部３ａを嵌装し、同部（ｂ）に示すように、防水部材３の鍔部３ｂを防水シート２ａに溶着又は接着する。次に、嵌装部３ａの外周から上部にかけて、防水テープ６の幅よりも大きい寸法になるように、粘着性を持ったアルミテープ８を粘着する。
【００６５】
その後、アルミテープ８の上から防水テープ６を巻き付け、同図（ｃ）に示すように、防水部材３の嵌装部３ａと貫通部材１との間に形成された隙間を全周にわたって閉鎖して止水することで、防水性を発揮することが可能である。このとき、防水テープ６はアルミテープ８によって防水部材３の嵌装部３ａと絶縁されており、可塑剤の移行を阻止することが可能となる。
【００６６】
更に、貫通部材１に固定金具４、５を対向して配置し、固定金具４のビス穴４ｃ、貫通部材１に形成されたビス穴１ｃにビス７を挿通して固定金具５のネジ穴５ｃに締結することで、同図（ｄ）に示すように、防水テープ６の外周に位置する固定金具４、５の覆い片４ｂ、５ｂによって嵌装部３ａが貫通部材１に固定される。
【００６７】
本実施例の防水構造であっても、防水層の更新を行う際には固定金具４、５を離脱させた後、防水テープ６及びアルミテープ８を剥がすことで、貫通部材１と防水部材３の嵌装部３ａを露出させ、その後、嵌装部３ａを鍔部３ｂから切除して鍔部３ｂの上方に起立した状態で露出させることが可能である。
【００６８】
上記の如く、本実施例では、貫通部材に嵌装した防水部材の嵌装部の上部と貫通部材とにわたって止水部材である防水テープを配置し、防水テープの上部に固定金具を配置して貫通部材に固定することで、貫通部材と嵌装部上部との間に形成された隙間を止水することが可能である。
【００６９】
前述の第１実施例及び第２実施例では、二ピースからなる固定金具４、５を用いた場合について説明したが、筒状に形成された一材からなる固定金具を利用することも可能である。このような固定金具を貫通部材１に固定することによって防水部材３の嵌装部３ａの上部全域を覆うことが可能となり、貫通部材１と固定金具の上部とに防水テープ６を配置することによって、確実な止水を実現することが可能である。また、防水テープ６が嵌装部３ａに接触することがないため、可塑剤の移行を阻止することも可能である。このような固定金具を利用する場合、部品点数が少なくなり、コスト的に有利である。
【００７０】
また、貫通部材１に防水部材３の嵌装部３ａを嵌装した後、前述の第２実施例のように貫通部材１と嵌装部３ａの上部に防水テープ６を配置して両者の間に形成された隙間を閉塞して止水し、更に、貫通部材１に固定金具４、５を固定した後、貫通部材１と固定金具４、５の上部に防水テープ６を配置して両者の間に形成された隙間を閉塞して止水するようにしても良い。この場合、貫通部材１と嵌装部３ａとの間に形成された隙間、及び貫通部材１と固定金具４、５との間に形成された隙間を個別に止水することで、確実な止水を実現することが可能である。
【産業上の利用可能性】
【００７１】
本発明の防水構造は、建物の屋上やベランダの床或いはプールや風呂の床等の防水性を要求される床を貫通して設けた貫通部材の防水構造として利用することが可能である。
【図面の簡単な説明】
【００７２】
【図１】第１実施例に係る貫通部材の防水構造を説明する断面図である。
【図２】防水部材の構成を説明する図である。
【図３】第１実施例に係る防水構造を構成する際の手順を説明する図である。
【図４】第２実施例に係る防水構造を構成する際の手順を説明する図である。
【符号の説明】
【００７３】
１                          貫通部材
１ａ                        固定部
１ｃ                        ビス穴
２                          床
２ａ                        防水シート
２ｂ                        穴
３                          防水部材
３ａ                        嵌装部
３ｂ                        鍔部
４、５                      固定金具
４ａ、５ａ                  固定片
４ｂ、５ｂ                  覆い片
４ｃ                        ビス穴
４ｄ、５ｄ                  突起片
５ｃ                        ネジ穴
６                          止水部材、防水テープ
７                          ビス
８                          アルミテープ
【図１】
2006348643.tif 000003
【図２】
2006348643.tif 000004
【図３】
2006348643.tif 000005
【図４】
2006348643.tif 000006